(57)【要約】      （修正有）【課題】スラブの上方の適宜高さ位置に別の床層を設ける二重床構造において、スラブの厚さを増加させずに床衝撃音、特に重量衝撃音の６３〜１２５Ｈｚの低周波帯域の伝播を最小限に抑えることができる衝撃音低減のための二重床構造を提供する。【解決手段】スラブの上に配置され、前記スラブの上方の適宜高さ位置にパネル３００を設置することで形成される別の床層を支持するための支持緩衝部材１００であって、前記支持緩衝部材１００は、パネル３００を支持する支え部材と、前記支え部材の下部に位置して衝撃を吸収する空気防振クッション１３０と、を含んで構成され、前記支え部材は、締め込み程度によって高低調節可能な支えボルト１２０と支えナット１２５とを含み、前記支えボルト１２０は、その中心軸に中空部が設けられ、支えナット１２５が締結されると前記中空部が露出するようにされている。【選択図】図５−ｃ
2005180169.tif 000002
【特許請求の範囲】
【請求項１】
スラブの上に配置され、前記スラブの上方の適宜高さ位置にパネルを設置することで形成される別の床層を支持するための二重床構造用支持緩衝部材であって、
該二重床構造用支持緩衝部材は、パネルを支持する支え部材と、該支え部材の下部に位置して衝撃を吸収する空気防振クッションと、を含んで構成され、
該支え部材は、締め込み程度によって高低調節可能な支えボルトと支えナットとを含み、該支えボルトは、その中心軸に中空部が設けられ、該支えナットが締結されると該中空部が露出するようにされていることを特徴とする二重床構造用支持緩衝部材。
【請求項２】
前記空気防振クッションは、その中心軸の周辺に空洞部が形成され、該空洞部が空気防振クッションの上面または下部から外部に露出していることを特徴とする請求項１記載の二重床構造用支持緩衝部材。
【請求項３】
前記空気防振クッションは、上部クッションと下部クッションとに分けられて内部に空洞部が形成され、該上部クッションの上面または該下部クッションの下面から該空洞部まで空気流入孔が形成されることを特徴とする請求項１記載の二重床構造用支持緩衝部材。
【請求項４】
スラブの上方の適宜高さ位置に別の床層を設けてなる二重床構造のものであって、
該スラブと、
該スラブの上に配置される請求項１乃至請求項３記載の多数の支持緩衝部材と、
該支持緩衝部材によって支持され、該スラブの上方の適宜高さ位置に設置されるパネルと、
該パネルの上に所定の高さまで充填されるモルタル層と、を含んで構成されることを特徴とする衝撃音低減のための二重床構造。
【請求項５】
前記衝撃音低減のための二重床構造は吸音材をさらに含み、該吸音材は、前記二重床構造用支持緩衝部材を挿入するために貫通孔を有し、前記スラブに当接設置されるかまたは前記パネルの下面に貼り付けられることを特徴とする請求項４記載の衝撃音低減のための二重床構造。  
【請求項６】
前記パネルとして、多数の二重床構造用支持緩衝部材が所定の間隔で配設される所定の大きさを有した隅角部が加工された多数の単位パネル型パネルが設置され、該多数の単位パネル型パネルを、加工された該隅角部を通して該二重床構造用支持緩衝部材の前記支えボルトの前記中空部が露出するように、該二重床構造用支持緩衝部材上に設置することで、前記モルタル層の形成時に該モルタルが前記中空部にも同時に充填されることを特徴とする請求項４または請求項５記載の衝撃音低減のための二重床構造。
【請求項７】
前記単位パネル型パネルは、底板部と、該底板部の上部にまたは離隔して付着・設置される補強心材部と、を含んで構成されることを特徴とする請求項６記載の衝撃音低減のための二重床構造。
【請求項８】
前記補強心材部は、溶接金網を含み、該溶接金網が前記単位パネル型パネルの底板部よりも一方向に拡張し、他方向に縮小した形状を有し、隣接した単位パネル型パネル間において拡張した該溶接金網が縮小した該溶接金網まで延設されることを特徴とする請求項７記載の衝撃音低減のための二重床構造。
【請求項９】
前記二重床構造用支持緩衝部材を前記スラブの上に所定の間隔で配置しながら前記パネルを補強・支持するもので、多数の二重床構造用支持緩衝部材の間に設置される支持レールをさらに含むことを特徴とする請求項６記載の衝撃音低減のための二重床構造。
【請求項１０】
前記パネルは壁体から離隔して設置されており、該パネルと該壁体との間で該壁体の内周に沿って周縁板がさらに設けられ、
該周縁板は、垂直板部と、該垂直板部の一端部から延長される水平板部と、を含んで構成され、該垂直板部は該壁体に当接するか所定の隙間を空けて対向しており、該水平板部は該パネルの上面または端部の断面に当接設置されることを特徴とする請求項４または請求項５記載の衝撃音低減のための二重床構造。
【請求項１１】
前記周縁板の前記垂直板部が壁体に対して所定の隙間を空けて対向設置された場合、該周縁板の該垂直板部と該壁体との間の隙間に緩衝材をさらに設置し、該緩衝材は、該周縁板の該垂直板部に貼り付けられるか、または分離状態に独立的に設置されることを特徴とする請求項１０記載の衝撃音低減のための二重床構造。
【請求項１２】
前記モルタル層上に位置する壁体には、該モルタル層と該壁体との隙間を覆う幅木が付設され、該幅木は該モルタル層から離隔して付設されることを特徴とする請求項１１記載の衝撃音低減のための二重床構造。
【請求項１３】
前記周縁板の垂直板部および水平板部には、前記モルタル層との一体化及び補強のために補強突起および切断溝をそれぞれさらに備えることを特徴とする請求項１０記載の二重床構造。
【発明の詳細な説明】
【技術分野】
【０００１】
本発明は、二重床構造用支持緩衝部材、これを用いた衝撃音低減のための二重床構造及びその施工方法に係り、さらに詳しくは、スラブの上方の適宜高さ位置に別の床層を設ける二重床構造に適用して床衝撃音を効果的に吸収するようにした二重床構造用支持緩衝部材と、これを用いてマンションやアパートなどの集合住宅に二重床構造を完成する場合、床スラブの厚さを標準厚さに維持しながらも衝撃音の伝播を最小限に抑えるようにした衝撃音低減のための二重床構造と、に関する。
【背景技術】
【０００２】
多階層または一階層の多世帯建築物の場合、上階の床と階下の天井は階間スラブという同一の構造体を共有するので、上階から発生した各種騷音が階間スラブを介して階下または隣りの世帯に伝達される問題が、社会的に台頭しつつある。これは特に住居空間である集合住宅で深刻であって、結局、日本では２００１年度に住宅品質確保に関する法律及び住宅性能表示制度を制定して、集合住宅の階間床衝撃音を軽量衝撃音と重量衝撃音とに区分して性能等級を提示するに至った。ここで、軽量衝撃音とは軽くて硬い衝撃による衝撃音（例：小さな品物を落としたときに生じる音）で１２５〜２０００Ｈｚの高周波帯域を意味し、重量衝撃音とは重くて軟らかい衝撃による衝撃音（例：子供が走り回ったりするときに生じる音）で６３〜１２５Ｈｚの低周波帯域を意味する。
【０００３】
通常の集合住宅の施工における床構造は、コンクリートスラブ床に仕上げモルタルを打設し、仕上げ養生させた後、最終床仕上げ材で仕上げることで完成させるものである。最近、階間床衝撃音の騷音問題に対する消費者の不満事例が社会的な問題として台頭しているため、床仕上げ材を敷設するに先立って緩衝材を追加設置して補完しているが、実際にこのような構造を採用しても、軽量衝撃音はある程度低減することはできるが、重量衝撃音は十分に低減することができない。このため、床スラブのそのものの剛性を高めてスラブの振動を抑える方法として、スラブの基準厚さを通常の１２〜１３ｃｍから２７ｃｍ以上に増加させる方法を採用せざるをえなくなっている。
【０００４】
しかし、かかる従来の方法は、スラブ厚さの増加とともに階間緩衝材の設置による資材の無駄使いや製造コスト上昇をもたらす。同時に、スラブ厚さを増加させると、建物の自重が増加するという問題が発生する。さらに、同一の天井高を確保するために階高をあげると、建物の高さが高くなり、結局建築物の経済性が低下するという問題点がある。
【発明の開示】
【発明が解決しようとする課題】
【０００５】
本発明は、かかる従来の問題を解決するためのもので、その目的は、スラブの上方の適宜高さ位置に別の床層を設ける二重床構造において、スラブの厚さを増加させずに床衝撃音、特に重量衝撃音の６３〜１２５Ｈｚの低周波帯域の伝播を最小限に抑えることができる衝撃音低減のための二重床構造を提供することにある。
【０００６】
本発明の他の目的は、床の負荷荷重を減少させることができ、半乾式で簡便に施工することができて、建築物の改造（ｒｅｍｏｄｅｌｉｎｇ）時に優れた適用性を発揮する衝撃音低減のための二重床構造を提供することにある。
【０００７】
本発明のまた他の目的は、スラブ上方の適宜高さ位置に別の床層を設ける二重床構造に適用して、床衝撃音を効率よく吸収できるようにした二重床構造用支持緩衝部材を提供することにある。
【課題を解決するための手段】
【０００８】
かかる技術的課題を解決するために、本発明は、スラブの上に配置され、前記スラブの上方の適宜高さ位置にパネルを設置することで形成される別の床層を支持するための二重床構造用支持緩衝部材であって、該二重床構造用支持緩衝部材は、パネルを支持する支え部材と、該支え部材の下部に位置して衝撃を吸収する空気防振クッションと、を含んで構成され、該支え部材は、締め込み程度によって高低調節可能な支えボルトと支えナットとを含み、該支えボルトは、その中心軸に中空部が設けられ、該支えナットが締結されると該中空部が露出するようにされている、二重床構造用支持緩衝部材を提供する。
【０００９】
前記空気防振クッションとしては、その中心軸の周辺に空洞部が形成され、該空洞部が空気防振クッションの上面または下部から外部に露出しているもの、または、上部クッションと下部クッションとに分けられて内部に該空洞部が形成され、該上部クッションの上面または該下部クッションの下面から該空洞部まで空気流入孔が形成されるものいずれか一つを採用することができる。
【００１０】
また、本発明は、スラブの上方の適宜高さ位置に別の床層を設けてなる二重床構造のものであって、該スラブと、該スラブの上に配置される請求項１〜請求項３記載の多数の二重床構造用支持緩衝部材と、該二重床構造用支持緩衝部材によって支持され、該スラブの上方の適宜高さ位置に設置されるパネルと、該パネルの上に所定の高さまで充填されるモルタル層と、を含んで構成される衝撃音低減のための二重床構造を提供する。
【００１１】
前記衝撃音低減のための二重床構造は吸音材をさらに含み、該吸音材は、前記二重床構造用支持緩衝部材を挿入するために貫通孔を有し、前記スラブに当接設置されるかまたは前記パネルの下面に貼り付けられる
【００１２】
前記パネルとしては、多数の二重床構造用支持緩衝部材が所定の間隔で配設される所定の大きさを有し、隅角部が加工された多数の単位パネル型パネルが設置され、この時、該多数の単位パネル型パネルを、加工された該隅角部を通して該二重床構造用支持緩衝部材の前記支えボルトの前記中空部が露出するように、該二重床構造用支持緩衝部材上に設置することで、前記モルタル層の形成時に該モルタルが前記中空部にも同時に充填されるようになり、これにより一体化された二重床構造を完成させることができる。
【００１３】
前記単位パネル型パネルは、底板部と、該底板部の上部にまたは離隔して付着・設置される補強心材部と、を含んで構成される。この時、前記補強心材部は、溶接金網を含み、該溶接金網が前記単位パネル型パネルの底板部よりも一方向に拡張し、他方向に縮小した形状を有し、隣接した単位パネル型パネル間において拡張した該溶接金網が縮小した該溶接金網まで延設されることが好ましい。加えて、本発明の二重床構造は、前記二重床構造用支持緩衝部材を前記スラブの上に所定の間隔で配置しながら前記パネルを補強・支持するもので、多数の二重床構造用支持緩衝部材の間に設置される支持レールをさらに含むことができる。
【００１４】
さらに、本発明は、前記パネルは壁体から離隔して設置されており、該パネルと該壁体との間で該壁体の内周に沿って周縁板がさらに設けられ、該周縁板は、垂直板部と、該垂直板部の一端部から延長される水平板部と、を含んで構成され、該垂直板部は該壁体に当接するか所定の隙間を空けて対向しており、該水平板部は該パネルの上面または端部の断面に当接設置される、衝撃音低減のための二重床構造を提供する。該周縁板の垂直板部および水平板部には補強突起および切断溝をそれぞれさらに備えて良い。
【００１５】
前記周縁板の垂直板部が壁体に対して所定の隙間を空けて対向設置された場合、該周縁板の該垂直板部と該壁体との間の隙間に緩衝材をさらに設置し、該緩衝材は、該周縁板の該垂直板部に貼り付けられるか、または分離状態に独立的に設置される。この際、前記モルタル層上に位置する壁体には、該モルタル層と該壁体との隙間を覆う幅木を該モルタル層から離隔して付設することが好ましい。
【発明の効果】
【００１６】
本発明の二重床構造によれば、スラブの厚さを増加させずにスラブの上方の適宜高さ位置に別の床層を設けることにより、床の衝撃音、特に重量衝撃音を低減させることができる。しかも、壁体と二重床との間に所定の隙間を設けることにより、衝撃音が壁体を介して伝達されず吸収、緩和、分散されて、衝撃音の低減効果を向上させることができ、その結果、本発明の二重床構造を集合住宅に適用すれば、快適な住居空間を確保することができる。
【００１７】
また、床の負荷荷重を減少させ、且つ半乾式で簡便に施工することができるため、建築物の改造（ｒｅｍｏｄｅｌｉｎｇ）時に優れた適用性を発揮することができる。
【発明を実施するための最良の形態】
【００１８】
以下、添付図面に基づいて本発明を詳細に説明する。
【００１９】
［１］二重床構造用支持緩衝部材
図１（ａ）および図２（ａ）は、本発明の二重床構造用支持緩衝部材の分解斜視図であり、図１（ｂ）および図２（ｂ）は、本発明の二重床構造用支持緩衝部材のび断面図である。支持緩衝部材１００は、スラブＢ上に配置され、前記スラブの上方の適宜高さ位置に設けられる別の床層Ｆを支持する役目をするとともに、上部から加えられる衝撃を除振・吸収・緩和させる役目をする。同図に示すように、二重床構造用支持緩衝部材１００は、二重床層Ｆを支持する支え部材１１０と、前記支え部材１１０の下部に位置して衝撃を除振・吸収・緩和する空気防振クッション１３０とを含んで構成される。前記支え部材１１０と空気防振クッション１３０を嵌合するために、結合突起１２４と結合溝１３４をそれぞれ形成しても良い。
【００２０】
支え部材１１０は、締め込み程度によって高低調節可能な支えボルト１２０と支えナット１２５とを含んで構成される。このような構成は、施行時にスラブＢが水平状態を保持しにくいという点を考慮したものである。すなわち、スラブＢが水平状態を保持し得なければ、スラブから離隔して設置される単位パネル３００（後述）も水平を保持し得なくなるので、前記高低調節可能な支え部材１１０を用いてスラブのアンバランスを補正することで、単位パネル３００が水平を保持ながら設置される。
【００２１】
前記支え部材１１０は合成樹脂または金属材などで作ることができる。図１及び図２には支えボルト１２０に支えナット１２５を締め込んで高低を調節する方法が示されているが、その反対の場合（支えボルト１２０の締め込み）も採用することができる。この時、二重床層Ｆを安定的に支持するためには、上部の調節部材（図１及び図２では支えナット１２５）の上面にパネル安着部１２６を拡張形成することが好ましい。前記パネル安着部１２６には防振板をさらに設置することができ、これは支え部材の上部に当接した二重床層Ｆから伝達される衝撃音を１次遮断するためのものである。前記防振板は粘弾性素材であるゴム板やシリコーン板で作ることが望ましい。
【００２２】
前記支えボルト１２０の中心軸には中空部１２１が形成され、支えボルト１２０と支えナット１２５が締結されると前記中空部１２１は露出するようにされている。これは、モルタルを打設して二重床層Ｆを形成する場合、中空部１２１にもモルタルが同時に充填されることで、二重床層Ｆと支持緩衝部材１００との一体化が図れるなど構造的安全性を確保するとともに、床層から加えられる衝撃音が漏れずに空気防振クッション１３０に完全に伝達できるようにするためである。
【００２３】
空気防振クッション１３０は、支え部材１１０の下部でスラブＢと当接しており、上部から加えられる衝撃音が固体伝達音としてスラブＢに直接伝われることを遮断・除振・緩和・吸収する役割を果たす。前記空気防振クッション１３０は、衝撃吸収に優れた粘弾性材質で作ることが好ましく、さらに空洞部を形成して空気クッションを持たせることが好ましい。すなわち、衝撃音が空気防振クッション１３０に伝達されれば空洞部に満たされた空気圧によってその衝撃音が遮断されるので、空気防振クッションは伝達される低周波の固有振動を遮断するスプリング機能（ｓｐｒｉｎｇ  ｅｆｆｅｃｔ）と減衰機能（ｄａｍｐｉｎｇ  ｅｆｆｅｃｔ）効果を同時に発揮するようになる。  
【００２４】
本発明の実施例では、空洞部１３１はその形成位置によって、空洞部１３１が外部に露出したものと、空洞部１３１が内部に位置したものとに大別される。図１及び図２の支持緩衝部材では空洞部１３１が外部に露出した空気防振クッション１３０を使用した状態を示しているが、図３のように空洞部１３１が内部に位置した空気防振クッション１３０を適用することもできることは言うまでもない。
【００２５】
空洞部１３１が外部に露出した空気防振クッション１３０は、支え部材１１０の上部から印加される荷重に充分に耐える硬度を維持できるような中心軸を有し、その中心部の中心軸の周辺にタイヤのように空洞部１３１を形成することが好ましい。この時、前記空洞部１３１は空気防振クッション１３０の上面または下面から外部に露出している。図１及び図２に示すように、前記空洞部１３１は、空気防振クッション１３０の内周に沿って帯状に形成された第１空洞部１３１ａと、前記第１空洞部よりも中心軸の付近に形成された多数の第２空洞部１３１ｂとを有する二重構成を取っている。
【００２６】
空洞部１３１が内部に位置した空気防振クッション１３０は、上部クッション１３０ｃと下部クッション１３０ｄとからなり、その内部に空洞部１３１を形成し、外部から内部の空洞部１３１へ空気が流入できるように、上部クッション１３０ｃの上部面及び／または下部クッション１３０ｄの下部面から空洞部１３１まで形成される空気流入孔１３２を有することが好ましい。また、前記空洞部１３１には、空気流入孔１３２とともに、支え部材の荷重を支持しながら効率よく衝撃音を吸収できる弾性部材をさらに備えても良い。図３には中心軸の空気流入孔１３２を中心に左右対称の空洞部１３１が示されており、これは上部から加えられる衝撃荷重を安定して支持するためである。
【００２７】
［２］衝撃音低減のための二重床構造
本発明の二重床構造は、図１〜図３のような支持緩衝部材１００を用いて完成する。すなわち、該二重床構造は、図４に示すようにスラブＢの上に支え部材１１０及び空気防振クッション１３０からなる多数の支持緩衝部材１００を配置し、その上に後述するパネル３００を設置し、次いで該パネル３００の上に所定の高さまでモルタルを充填することで、スラブの上方の適宜高さ位置に別の床層Ｆ（二重床層）を形成してなる、衝撃音低減のための二重床構造である。該二重床構造は、スラブＢと上部モルタル層Ｆ（二重床層）との間に階間緩衝層を設けることにより、上階の住戸で発生した騒音がスラブを介して階下の住戸に直接的に伝わることを遮断することができる。
【００２８】
さらに、本発明は、二重床層Ｆと壁体Ｗとの間に隙間Ｃを設けることで、衝撃音の低減効果を向上させることができる。言い換えれば、床構造体は、その上部表面の二重床層Ｆに階間騷音の原因である衝撃が加えられる場合、衝撃音の波長が固体伝達音波長として四方に伝達されるにつれて二重床層のモルタル板振動が発生し、階間緩衝層にはこれによる音圧によって共振と共鳴現象が起こる。この時、構造体の縁部が壁体と当接していれば、固体伝達音波長は壁体を介して伝わり、また、壁体と当接して下部の階間緩衝層が密閉したままの状態で維持されると、二重床層の板振動とともに階間緩衝層で発生した音圧が、同時に壁体と作用してさらに増幅する恐れがある。本発明はこのような問題を二重床層と壁体との間に隙間を設けることで解決している。
【００２９】
図４は本発明の衝撃音低減のための二重床構造の一実施例の構造図であって、二重床を形成するための二重床層Ｆを壁体Ｗに対して隙間Ｃをあけて設置した状態を示す。このような本発明によれば、二重床層Ｆ表面に衝撃が加えられた場合、固体伝達音の波長は、二重床層Ｆと壁体Ｗとの間に隙間Ｃが形成されているため、壁体Ｗに伝達されずに遮断され、単に下部のスラブＢに分散伝達されることはあるが、これは支持緩衝部材１００によって緩衝されることができ、さらに共振と共鳴現象で発生する音圧は、その波長エネルギーが隙間Ｃに逃げてしまい、増幅が抑えられ且つ減衰されるので、階間床衝撃音の伝播を最小化することができる。ここで、隙間Ｃがそのまま露出すれば前記隙間から埃及び異物が入り込んで美観を損なうおそれがあるので、それを防止するために、図４のように前記二重床層Ｆの上部の壁体Ｗには、床層Ｆと壁体Ｗとの間の隙間Ｃを覆う幅木Ｄを付設したほうが良い。この時、前記幅木Ｄは二重床層Ｆから離隔して付設することが好ましく、これは隙間Ｃが塞がることを防止して衝撃音の低減効果を高めるためである。
【００３０】
本発明の衝撃音低減のための二重床構造は、壁体で取り囲まれた空間に形成される床構造であって、スラブＢ、支持緩衝部材１００、パネル３００及びモルタル層６００（後述）を含んで構成し、周縁板４００（後述）をさらに含んで構成することもできる。
【００３１】
以下、周縁板４００をさらに含む状態の実施例を図面を参照して説明する。
【００３２】
図５ａ及び図６ａは本発明の衝撃音低減のための二重床構造に適用される板材型パネル及び単位パネル型パネルの斜視図で、図５ｂおよび図６ｂは本発明の衝撃音低減のための二重床構造において支持緩衝部材とパネルとが設置された状態を示す斜視図で、図５ｃ及び図６ｃは本発明の衝撃音低減のための二重床構造を示す斜視図で、図５ｄ及び６ｄはその中央部分の断面図である。
【００３３】
スラブＢは壁体Ｗで取り囲まれた空間内で上階の床と階下の天井とを同時に構成する構造体であり、前記スラブＢの上方に二重床を構成するための別の床層Ｆを設けることで、本発明の衝撃音低減のための二重床構造が完成する。
【００３４】
二重床構造用支持緩衝部材１００はスラブＢ上に配置され、その上部にパネル３００が設置される。前記二重床構造用支持緩衝部材１００により、スラブＢの上方の適宜高さ位置にパネル３００を設けて支持することができ、同時に上部から加えられる衝撃を吸収・緩和させることができる。本発明では、図１〜図３に示す支え部材１１０と空気防振クッション１３０とから構成される二重床構造用支持緩衝部材１００を採用する。
【００３５】
前記二重床構造用支持緩衝部材１００の間には、該二重床構造用支持緩衝部材１００を一定間隔で配設できるようにし、パネル３００を補強・支持するための支持レール２００をさらに備えても良い。この時、該支持レール２００は二重床構造用支持緩衝部材１００の支え部材１１０と結合するもので、図６ｃには支え部材１１０と支持レール２００との結合方法が詳しく示されている。すなわち、支え部材１１０（図６ｃでは支えナット１２５）と支持レール２００とは溝結合により一体化される断面構造とされており、該支えナット１２５および支持レール２００にはそれぞれ係止凹１１３および係止凸２１１が形成されていて、簡単に結合される。前記支持レール２００の上面と側面には長手方向に突条部２１０、２２０がそれぞれ形成されるが、側面突条部２１０はパネル３００の安着のために、上面突条部２２０は温水循環管６５０の配管時にそれを位置固定するグリップの設置のためにそれぞれ形成される。
【００３６】
前記パネル３００は前記二重床構造用支持緩衝部材１００によって支持されてスラブＢの上方の適宜高さ位置に設けられるとともに、壁体Ｗからも離隔している。該パネル３００は上部から充填されるモルタル層６００の型枠の役割をする。このような構成により、衝撃音低減のための二重床構造が半乾式で完成する。該パネル３００は、合成樹脂、木材、金属板、セラミックス紙類、纎維、リサイクル用材その他などの素材を規格化及び成形化しまたは裁断加工可能な板材なら何でも良いし、さまざまな形状を作成できるとともに堅固性と経済性に優れたものであればさらに好ましい。
【００３７】
前記パネル３００は、図５ａ及び図６ａに示すように、底板部３２０と、該底板部３２０上に取り付けられるかまたは離隔して設けられる補強心材部３１０と、を含んで構成され、板材型（図５ａ）や単位パネル型（図６ａ、多数の二重床構造用支持緩衝部材が一定間隔で配設される所定の大きさを有する）を採用することができる。特に図６ａのような単位パネル型の場合は、底板部３２０の周縁に沿って立設される周縁部３３０をさらに形成することができる。該周縁部３３０は、補強心材部の一種として機能しながら、温水循環管６５０のモルタル層６００への配管時に水平配管を誘導する機能を行う。また、単位パネル型パネルの場合には、その下部に位置する二重床構造用支持緩衝部材１００との一体性を確保するために、隅角部を加工する。すなわち、二重床構造用支持緩衝部材１００の支え部材１１０の支えボルト１２０に形成された中空部１２１は、単位パネル型パネルを設置した後にも、加工処理された隅角部を通してそのまま露出していて、後述するモルタル層６００の形成時にモルタルが前記支えボルト１２０の中空部１２１にも充填されるようになり、これにより二重床構造用支持緩衝部材１００とモルタル層６００との一体性が確保される。
【００３８】
前記補強心材部３１０としては溶接金網３１１または／及び突設される突起３１２を採用することができ、これは後述するモルタル層６００の形成時にモルタル養生過程で発生するおそれがあるひび割れを防止し、モルタル層６００の剛性と曲げ強度をアップさせるためのものである。特に、溶接金網３１１は温水循環管６５０の配管時に温水循環管６５０を固定させる役割もする。補強心材部３１０として溶接金網３１１を採用した単位パネル型パネルの場合、図６ａのように溶接金網３１１を底板部３２０よりも拡張及び縮小して作成することが好ましい。なぜなら、隣接した単位パネル間において拡張した溶接金網が縮小した溶接金網までのびるように、パネルをジグザグに設置することにより、単位パネル間の連結部位の引張応力の低下によるひび割れ問題を解消できるからである。
【００３９】
床構造において、遮音効果を付与するために吸音材３５０を設置することができる。前記吸音材３５０は、スラブＢに当接設置するか、またはスラブＢから離隔して設置されたパネル３００の下面に貼り付けることができる。パネル３００の下面に貼り付ける場合は、パネル３００下面に固定ピンを装着しても良い。ただし、前記吸音材３５０をスラブＢに直接当接設置する場合は、支持緩衝部材１００の挿入のために貫通孔を有する必要がある。本発明の実施例では、板材型パネルを採用した場合には吸音材３５０をスラブＢに当接設置し（図５ｄ参照）、単位パネル型パネルを採用した場合には吸音材３５０をパネル３００に貼り付ける（図６ｄ参照）。
【００４０】
前記パネル３００は支え部材１１０の安着部１２６に安着してスラブＢの上方の適宜高さ位置に位置する。特に、パネルとして図６ａのような単位パネル型パネルを採用した場合、二重床構造用支持緩衝部材１００の間に支持レール２００をさらに設置すると、支持レール２００の側面突条部２１０によって単位パネル型パネルの揺動が防止され、さらにパネル３００間の隙間の発生が防止される（図６ｃ参照）。
【００４１】
前記モルタル層６００は前記パネル３００上に所定の高さにモルタルが充填されてなるもので、該モルタル層６００で左官仕上げ面を形成することで二重床構造を完成させる。住居の場合、オンドル床（オンドルとは韓国独特の床暖房のことで、床下に仕切り壁と溝を作り、火を焚きながらその煙で床を温めるというもの）構造を実現することができ、このために該モルタル層６００には暖房のための温水循環管６５０を埋設させる。
【００４２】
前述したようにスラブＢ、二重床構造用支持緩衝部材１００、パネル３００及びモルタル層６００で構成された二重床構造に、周縁板４００をさらに含むことができる。該周縁板４００は、規定サイズのパネル３００を設置するときに生じる周縁部の処理問題を容易に解決するために設けられるものである。すなわち、多様な面積の一定場所に規格サイズのパネル（３００、板材型あるいは単位パネル型）で組立式にて床を完成させるためには、四方の周縁部を処理しなければならない問題があり、これは前記周縁板４００を設けることで解決される。さらに、該周縁板４００は、二重床層Ｆと壁体Ｗとの間に適宜間隔の隙間Ｃを形成する場合、隙間Ｃの形成を容易にする。
【００４３】
図７ａ及び図７ｂは前記周縁板４００の実施例を示す斜視図で、図８ａ及び図８ｂは該周縁板４００の設置状態を示す縁部の断面図である。周縁板４００は、垂直板部４１０と、該垂直板部４１０の一端部から延設される水平板部４２０とを含んで構成される。該垂直板部４１０は壁体Ｗと当接するかまたは所定の隙間Ｃをあけて対向しており、前記水平板部４２０はパネル３００の上面または端部面と当接するように、パネル３００と壁体Ｗとの間において壁体Ｗの内周に沿って設けられる。また、該水平板部４２０はパネル３００に水平に当接設置されてパネル３００と同一の役割をし、前記垂直板部４１０はモルタル層６００が壁体Ｗに対して適宜間隔の隙間Ｃを形成・維持する役目をする。
【００４４】
前記周縁板４００の垂直板部４１０と壁体Ｗとの間には、緩衝層としての隙間Ｃを容易に確保するために緩衝材４１１をさらに設けることができる。この時、前記緩衝材４１１は垂直板部４１０に貼り付けるかまたは分離した状態に独立的に設置することができる。ただし、図８ｂのように垂直板部４１０が水平板部４２０よりも上に設置される場合には、緩衝材４１１は、モルタル層６００と壁体Ｗとの間の適宜間隔の隙間Ｃを形成・維持するとともに、モルタル層６００の仕上げ高さを設定する側面型枠の役割を果せるように、その規格を設定して採用したほうが良い。
【００４５】
図７ａ及び図７ｂは周縁板４００の実施例を示す図であって、多数の緩衝材４１１が部分的に貼り付けられた状態の周縁板４００を示している。すなわち、垂直板部４１０の外側面には多数の緩衝材４１１が貼り付けられて、該周縁板４００が該緩衝材４１１によって壁体Ｗに対して所定の隙間Ｃを保持することができる。
【００４６】
垂直板部４１０および水平板部４２０には、モルタル層６００との一体化及び補強のために補強突起４１５および切断溝４２５をそれぞれさらに備えても良い。殊に、該切断溝４２５は現場で可変的に規格寸法の誤差を吸収する役割をもする。すなわち、壁体Ｗとパネル３００との間の寸法が必ずしも一定ではないため、水平板部４２０を十分な大きさにしておき、場合に応じて切断溝４２５を利用して適切な大きさに切断すれば、所要の大きさの水平板部を確保することができる。
【００４７】
水平板部４２０は図７ａのように段差を有する構造とすることができる。これは、周縁板４００がパネルの上部に当接設置されるとき、パネル３００が水平板部４２０に収容されて、パネル端部の断面と水平板部とが対応しながらパネルの底面と水平板部の底面とが同一面になり、これによって縁部の剛性が十分に確保されるためである。このような段差を有する周縁板の場合、パネルとして板材型パネルを採用すると、さらに有用に利用することができる。
【００４８】
以下、添付図面を参照して衝撃音低減のための二重床構造の施工方法を説明する。
【００４９】
二重床構造を形成するためには、先ず、二重床構造用支持緩衝部材１００をスラブＢに設置する段階が考慮され、図１〜図３のような高低調節可能な二重床構造用支持緩衝部材１００を採用する場合は、水平状態を保てるようなさまざまの補助機器（レーザーレベラー、棒水平器、水盛り、その他）を用いて支え部材１１０の高低を調節しながら水平レベルを合わせる。この際、支持レール２００を二重床構造用支持緩衝部材１００の間に設置すれば、簡単な組立施工で各二重床構造用支持緩衝部材１００間に一定の間隔を保つことが容易になり、これでパネル３００を設置するための枠が作り終わる。
【００５０】
二重床構造の施工において、遮音効果のために吸音材３５０を設置しても良いが、このとき、前記吸音材３５０は図６ｄのようにパネル３００下面に貼り付けるか、または図５ｄのようにパネル３００の設置前に二重床構造用支持緩衝部材１００の設置時にスラブＢに当接設置する。ただし、図５ｄのように吸音材３５０をスラブＢに当接設置する場合には、吸音材を一番先に設置し、このとき、前記吸音材３５０には、二重床構造用支持緩衝部材１００が載置される位置に予め貫通孔をあけておくことが好ましい。このような吸音材３５０を適用すると、二重床構造用支持緩衝部材１００を支持レール２００なしにも一定間隔で配設することができる。  
【００５１】
二重床構造用支持緩衝部材１００を設置し終えると、その上にパネル３００を設置する。図１〜図３の二重床構造用支持緩衝部材１００を採用する場合には、支え部材の安着部１２６にパネル３００を安着させ、さらにパネルとして図６ａの単位パネル型パネルを採用して支持レール２００を設置したときは、支持レールの側面突条部２１０にも同時に安着させる。前記パネル３００としては、図５ａ及び図６ａのように補強のために上面に溶接金網３１１及び／または固定突起３１２などの補強心材部３１０が取り付けられたものを採用したほうが良い。
【００５２】
また、パネル３００と壁体Ｗとの間で壁体Ｗの内周に沿って周縁板４００を設ける。前記周縁板４００の設置に先立って、パネル３００と壁体Ｗとの間の空間を用いてスラブＢとパネル３００との間に多目的配管Ｐを設けるかそのためのアウトレットを設けることができる。これにより、前記多目的配管Ｐに問題が発生した場合にもパネル３００と壁体Ｗの間の空間を利用すれば容易に補修することができる。
【００５３】
次いで、パネル３００と周縁板４００とで形成される空間にモルタルを充填してモルタル層６００を形成すると、本発明の衝撃音低減のための二重床構造が出来上がる。この時、図１〜図３のように支え部材１１０の中心軸に中空部１２１が形成された二重床構造用支持緩衝部材１００を採用すると、モルタル層６００の形成時に前記中空部１２１にもモルタルが同時に充填されるようになり、これにより二重床構造用支持緩衝部材１００と二重床層Ｆとの一体化を図ることができて、衝撃音の低減を実現することができる。すなわち、二重床構造用支持緩衝部材１００、単位パネル３００、周縁板４００及びモルタル層６００が一体化されると、衝撃発生時に衝撃音が分散されて衝撃音が低減されるようになり、このような効果は局所的な衝撃発生時にさらに増大する。モルタルを充填する前には、補強のための溶接金網を設置したり、暖房のための温水循環管６５０を配管したりすることができる。
【産業上の利用可能性】
【００５４】
以上、説明したように、本発明の二重床構造によれば、スラブの厚さを増加させずにスラブの上方の適宜高さ位置に別の床層を設けることにより、床の衝撃音、特に重量衝撃音を低減させることができる。しかも、壁体と二重床との間に所定の隙間を設けることにより、衝撃音が壁体を介して伝達されず吸収、緩和、分散されて、衝撃音の低減効果を向上させることができ、その結果、本発明の二重床構造を集合住宅に適用すれば、快適な住居空間を確保することができる。また、床の負荷荷重を減少させ、且つ半乾式で簡便に施工することができるため、建築物の改造（ｒｅｍｏｄｅｌｉｎｇ）時に優れた適用性を発揮することができる。
【図面の簡単な説明】
【００５５】
【図１】図１（ａ）は本発明の二重床構造用支持緩衝部材の分解斜視図であり、図１（ｂ）は本発明の二重床構造用支持緩衝部材の断面図である。
【図２】図２（ａ）は本発明の二重床構造用支持緩衝部材の分解斜視図であり、図２（ｂ）は本発明の二重床構造用支持緩衝部材の断面図である。
【図３】図３（ａ）は支持緩衝部材に適用可能な空気充填クッションの斜視図であり，図３（ｂ）は支持緩衝部材に適用可能な空気充填クッションの断面図である。
【図４】本発明の衝撃音低減のための二重床構造の一実施例の構造図である。
【図５−ａ】本発明の衝撃音低減のための二重床構造に適用可能な板材型パネルの斜視図である。
【図５−ｂ】本発明の衝撃音低減のための二重床構造において支持緩衝部材と板材型パネルとが設置された状態を示す斜視図である。
【図５−ｃ】板材型パネルを適用した本発明の衝撃音低減のための二重床構造の実施例を示す斜視図である。
【図５−ｄ】板材型パネルを適用した本発明の衝撃音低減のための二重床構造の中央部分の断面図である。
【図６−ａ】本発明の衝撃音低減のための二重床構造に適用可能な単位パネル型パネルの斜視図である。
【図６−ｂ】本発明の衝撃音低減のための二重床構造において支持緩衝部材と単位パネル型パネルとが設置された状態を示す斜視図である。
【図６−ｃ】板材型パネルを適用した本発明の衝撃音低減のための二重床構造の実施例を示す斜視図である。
【図６−ｄ】板材型パネルを適用した本発明の衝撃音低減のための二重床構造の中央部分の断面図である。
【図７−ａ】本発明の衝撃音低減のための二重床構造において周縁部の仕上げに適用可能な周縁板の実施例を示す斜視図である。
【図７−ｂ】本発明の衝撃音低減のための二重床構造において周縁部の仕上げに適用可能な周縁板の別の実施例を示す斜視図である。
【図８−ａ】本発明の衝撃音低減のための二重床構造において周縁板の設置状態を示す周縁部の断面図である。
【図８−ｂ】本発明の衝撃音低減のための二重床構造において周縁板の別の設置状態を示す周縁部の断面図である。
【符号の説明】
【００５６】
１００    二重床構造用支持緩衝部材
１１０    支え部材
１２０    支えボルト
１２１    中空部
１２５    支えナット
１３０    空気防振クッション
１３１    空洞部
２００    支持レール
３００    パネル
３１０    補強心材部
３１１    溶接金網
３２０    底板部
３５０    吸音材
４００    周縁板
４１０    垂直板部
４２０    水平板部
６００    モルタル層
Ｂ    スラブ
Ｗ    壁体
Ｃ    隙間
Ｆ    床層（二重床層）
Ｄ    幅木
Ｐ    多目的配管
【図１】
2005180169.tif 000003
【図２】
2005180169.tif 000004
【図３】
2005180169.tif 000005
【図４】
2005180169.tif 000006
【図５−ａ】
2005180169.tif 000007
【図５−ｂ】
2005180169.tif 000008
【図５−ｃ】
2005180169.tif 000009
【図５−ｄ】
2005180169.tif 000010
【図６−ａ】
2005180169.tif 000011
【図６−ｂ】
2005180169.tif 000012
【図６−ｃ】
2005180169.tif 000013
【図６−ｄ】
2005180169.tif 000014
【図７−ａ】
2005180169.tif 000015
【図７−ｂ】
2005180169.tif 000016
【図８−ａ】
2005180169.tif 000017
【図８−ｂ】
2005180169.tif 000018